(57)【要約】【課題】多くのメダルを短時間で払い出すことやメダルの払い出し枚数の変更を適切に行なうことが可能であるとともに、メダルの払い出し動作に面白みをもたせることが可能なメダル払い出し装置を提供する。【解決手段】メダルｍを収容可能であり、かつ上下に積層するようにして並んだ複数の収容部２を備えており、各収容部２は、各収容部２内のメダルｍをその下方に落下させることが可能に底部が開閉自在とされているとともに、上方から落下してくるメダルｍを受容可能とする上部開口部２０ａを有している。【選択図】　図２
2004113564.tif 000002
【特許請求の範囲】
【請求項１】
メダルを収容可能であり、かつ上下に積層するようにして並んだ複数の収容部を備えており、
上記各収容部は、上記各収容部内のメダルをその下方に落下させることが可能に底部が開閉自在とされているとともに、上方から落下してくるメダルを受容可能とする上部開口部を有していることを特徴とする、メダル払い出し装置。
【請求項２】
上記各収容部の少なくとも一部分は、透明とされている、請求項１に記載のメダル払い出し装置。
【請求項３】
上記各収容部は、上部および底部が開口した側壁部と、この側壁部の下方において水平方向に往復動自在なシャッタ板とを備えて構成されている、請求項１または２に記載のメダル払い出し装置。
【請求項４】
請求項１ないし３のいずれかに記載のメダル払い出し装置を備えていることを特徴とする、メダル遊戯機。
【発明の詳細な説明】
【０００１】
【発明の属する技術分野】
本願発明は、メダル遊戯機に組み込まれるなどしてメダルの払い出しを行なうのに用いられるメダル払い出し装置、およびこれを備えたメダル遊戯機に関する。なお、本明細書でいうメダルとは、コインやこれに類する金属円形板をも含む概念である。
【０００２】
【従来の技術】
従来のメダル払い出し装置の具体例としては、本願の図１０や図１１に示す構造のものがある（特許文献１，２参照）。
【０００３】
図１０に示すメダル払い出し装置は、複数枚のメダルｍを貯留するホッパ９０の下方に、メダル送り出し用のロータ９１が設けられた構成を有している。この装置では、ロータ９１が一定角度回転するごとに、ホッパ９０内のメダルｍが１枚すつシュータ９２上に送られて払い出されるようになっている。したがって、ロータ９１の回転量を制御することにより、メダルｍを所望の枚数だけ払い出すことができる。
【０００４】
図１１（ａ）に示すメダル払い出し装置は、支持部材９３上に筒状部９４が起立して設けられた構成を有している。筒状部９４内には、図示されていないメダル供給装置によってその上方から投入される複数枚のメダルｍを積層させた状態で収容可能である。筒状部９４は、同図（ｂ）に示すように、メダルｍを利用した遊戯を行なうための所定のプレイフィールド９５の近傍に配されている。また、この筒状部９４は２分割されており、同図（ｃ）に示すように開くことが可能である。このメダル払い出し装置においては、上記のように筒状部９４が開くとともに、支持部材９３が傾くことにより、同図（ｄ）に示すように、上下に積み重ねられていた複数枚のメダルｍがプレイフィールド９５上に一斉に落下するような構成になっている。
【０００５】
【特許文献１】
特開２０００−２０２０８９号公報（図５）
【特許文献２】
特開２００１−２９６４３号公報（図１４〜図２０）
【０００６】
【発明が解決しようとする課題】
図１０に示す前者においては、メダルｍが１枚ずつ払い出されるために、多数枚のメダルｍの払い出しを行なうには、長い時間を要し、これが不便となる問題点があった。また、この前者においては、多数枚のメダルｍを一斉に払い出すことができないために、メダル遊戯機におけるメダルの払い出し用途に用いた場合には、その払い出し動作の迫力や面白味に欠けるものとなっていた。
【０００７】
一方、図１１に示す後者においては、筒状部９４内に収容されている複数枚のメダルｍを一斉に払い出すことができるために、上記前者とは異なり、メダルｍの払い出し動作に迫力や面白さをもたせることが可能である。ところが、この後者においては、メダルｍの払い出し枚数が筒状部９４内に収容されている一定の枚数に限られる。したがって、たとえばメダル遊戯機で行なわれる遊戯の入賞内容に応じてメダルの払い出し枚数に差をつけるといった用途には利用することができない。また、遊戯機のメダル払い出し装置から払い出されるメダルの枚数が一定に限定されてしまったのでは、メダルの払い出しに対する遊戯者の関心も低くなりがちである。
【０００８】
本願発明は、このような事情のもとで考え出されたものであって、多くのメダルを短時間で払い出すことやメダルの払い出し枚数の変更を適切に行なうことが可能であるとともに、メダルの払い出し動作に面白みをもたせることが可能なメダル払い出し装置およびこれを備えたメダル遊戯機を提供することをその課題としている。
【０００９】
【発明の開示】
上記の課題を解決するため、本願発明では、次の技術的手段を講じている。
【００１０】
本願発明の第１の側面によって提供されるメダル払い出し装置は、メダルを収容可能であり、かつ上下に積層するようにして並んだ複数の収容部を備えており、上記各収容部は、上記各収容部内のメダルをその下方に落下させることが可能に底部が開閉自在とされているとともに、上方から落下してくるメダルを受容可能とする上部開口部を有していることを特徴としている。
【００１１】
このような構成によれば、たとえば上記複数の収容部のうち、最下層である一層目の収容部の底部のみを開放させると、この一層目の収容部に収容されていたメダルのみが払い出される。一層目および二層目の２つの収容部のそれぞれの底部を開放させた場合には、一層目の収容部内のメダルの払い出しがなされるのに加え、二層目の収容部に収容されていたメダルが一層目の収容部内を通過してから払い出されることとなり、それら２つの収容部のそれぞれに収容されていたメダルの払い出しが行なわれる。複数の収容部の全ての底部を開放させた場合には、それら複数の収容部に収容されている全てのメダルが払い出される。このようなことから理解されるように、本願発明においては、複数の収容部の底部の開閉制御により、メダルの払い出し枚数を複数段階で変更することが可能となり、便利である。
【００１２】
また、複数の収容部内のメダルを払い出す場合、それら複数の収容部のそれぞれの底部の開放を同時または略同時に行なわせると、上記複数の収容部内に収容されていたメダルが各収容部の下方に一斉または略一斉に落下することとなって、それらの払い出し動作が一気になされる。したがって、メダルの払い出し枚数が多い場合であっても、その払い出しが迅速に行なわれ、より便利となる。多くの枚数のメダルが一気に払い出されることにより、その払い出し動作に迫力や面白さをもたせることも可能となる。
【００１３】
さらに、本願発明においては、複数の収容部のうち、上層の収容部に収容されたメダルは、それよりも下方の収容部内を通過してから外部に払い出されるが、このようなメダルの移動の仕方は特異であり、面白いものとなる。
【００１４】
本願発明の好ましい実施の形態においては、上記各収容部の少なくとも一部分は、透明とされている。このような構成によれば、上記各収容部内にメダルが収容されている様子や、上記各収容部内をメダルが移動する様子を、外部から目視することが可能となる。したがって、メダルの払い出し動作に関心をもたせてその面白さを高めるのにより好適となる。
【００１５】
本願発明の好ましい実施の形態においては、上記各収容部は、上部および底部が開口した側壁部と、この側壁部の下方において水平方向に往復動自在なシャッタ板とを備えて構成されている。このような構成によれば、簡易な構成により上記各収容部の底部を適切に開閉自在とすることができる。
【００１６】
本願発明の第２の側面により提供されるメダル遊戯機は、本願発明の第１の側面により提供されるメダル払い出し装置を備えていることを特徴としている。
【００１７】
このような構成によれば、本願発明の第１の側面によって提供されるメダル払い出し装置について述べたのと同様な効果が得られる。とくに、上記メダル払い出し装置は、メダルの払い出し枚数を複数段階に変更することができるとともに、多数枚のメダルを払い出すときには一斉または略一斉に払い出すことができるために、入賞の内容に格差を設けてメダルの払い出し枚数を変えたり、あるいは多数枚のメダルを迫力のある演出で払い出すといったことを実現し、遊戯の趣向性を高めるのに好適となる。
【００１８】
本願発明のその他の特徴および利点については、以下に行う発明の実施の形態の説明から、より明らかになるであろう。
【００１９】
【発明の実施の形態】
以下、本願発明の好ましい実施の形態について、図面を参照しつつ具体的に説明する。
【００２０】
図１〜図５は、本願発明に係るメダル払い出し装置の一例を示している。本実施形態のメダル払い出し装置Ａは、図１および図２によく表われているように、鉛直方向に起立したベース部材５０の一側面５０ａに沿って、複数の収容部２（２ａ〜２ｇ）が上下に積層するように並べて設けられた構成を有している。ベース部材５０は、断面コ字状あるいは角パイプ状の柱状である。
【００２１】
各収容部２は、上部開口部２０ａおよび底部開口部２０ｂを有する側壁部２０の下方に、シャッタ板２１が配された構成を有している。各収容部２は、合成樹脂製の透明部材２２がベース部材５０の一側面５０ａに取り付けられることにより構成されている。透明部材２２は、一側面部が開口した平面視略コ字状であり、その一側面部の開口はベース部材５０の一側面５０ａによって塞がれている。このことによって各収容部２の側壁部２０はメダルｍを適切に収容可能な閉断面構造となっている。むろん、透明部材２２として、角筒状あるいは円筒状などの筒状のものを用いてもかまわない。
【００２２】
各シャッタ板２１は、平板状であり、各側壁部２０の下方において矢印ｎ１で示す水平方向に往復動自在である。このことにより各収容部２の底部はシャッタ板２１によって開閉自在となっている。複数の収容部２は、上下に隣り合う２つの収容部２の位置関係は、下側の収容部２の上部開口部２０ａの直上に上側の収容部２の底部開口部２０ｂが位置するようになっており、シャッタ板２１はこれらの間を仕切る状態と開放する状態とが可能となっている。
【００２３】
シャッタ板２１を支持して往復動させるための機構は、図３および図４に示すようなユニットＵとして構成されている。このユニットＵは、枠体５２と、この枠体５２に取り付けられたモータＭとを有している。枠体５２は、薄肉金属板をプレス加工するなどして構成されたものであり、断面略コ字状の一対のガイドレール部５２ａを有している。シャッタ板２１は、それら一対のガイドレール部５２ａにスライド可能に支持されている。シャッタ板２１の移動を円滑にするための手段として、シャッタ板２１には複数のローラ２１ａが取り付けられている。
【００２４】
シャッタ板２１の一端部には、連結用部材２１ｂが設けられており、この連結用部材２１ｂに、モータＭの駆動軸５９に取り付けられたアーム５４の一端が回転可能に連結されている。連結用部材２１ｂは、シャッタ板２１の矢印ｎ２方向で示す幅方向に移動可能である。このようなことにより、モータＭを駆動させてアーム５４を矢印ｎ３に示す方向に回転させると、このアーム５４の回転に伴ってシャッタ板２１がモータＭ寄りに後退する。モータＭを逆転させると、シャッタ板２１は上記とは反対に前進することとなる。
【００２５】
図２によく表われているように、複数のユニットＵはブラケット５３を用いるなどしてベース部材５０に組み付けられている。複数のモータＭのそれぞれは、個別に駆動制御可能であり、このことにより複数の収容部２のそれぞれの底部の開閉動作も個別に行なうことができるようになっている。最上層の収容部２ｇの上方には、このメダル払い出し装置Ａとは別個に設けられているメダル供給装置のメダル排出口９９が配されている。このメダル排出口９９から、このメダル払い出し装置Ａへのメダルｍの補給が可能である。
【００２６】
次に、上記したメダル払い出し装置Ａの作用について説明する。
【００２７】
まず、図２に示すように、メダルｍを払い出すための準備として、複数の収容部２のそれぞれにメダルｍを収容させておく。このような準備は、メダル排出口９９から最上層の収容部２ｇにメダルｍを投入し、その投入量が一定になると、そのメダルｍを下層の収容部２に順次移し替えていくことにより行なう。すなわち、最上層の収容部２ｇ内のメダル量が一定になると、その時点でこの収容部２ｇの底部を開く。すると、収容部２ｇ内のメダルｍはその下の収容部２ｆ内に落下する。次いで、この収容部２ｆの底部を開くと、メダルｍはさらにその下の収容部２ｅ内に落下する。このようなことを繰り返していくことにより、複数の収容部２ａ〜２ｇの全てにメダルｍを一定量ずつ収容させることができる。
【００２８】
次いで、メダルｍの払い出しに際し、たとえば図５に示すように、最下層の収容部２ａの底部のみを開いた場合には、この収容部２ａに収容されていた所定量のメダルｍのみがその下方に排出される。これに対し、最下層およびその上層の２つの収容部２ａ，２ｂの底部を開いた場合には、これら２つの収容部２ａ，２ｂに収容されていたメダルｍが収容部２ａの下方に落下排出される。この場合、収容部２ｂ内に収容されていたメダルｍは、収容部２ａ内を通過してからその下方に排出される。収容部２ａ〜２ｇの全ての底部を開いた場合には、それら収容部２ａ〜２ｇに収容されていたメダルｍの全量排出がなされる。
【００２９】
このように、このメダル払い出し装置Ａにおいては、最下層の収容部２ａからその上の何層目の収容部までの底部を開くかによって、メダルｍの払い出し量を複数段階で調整することができる。各収容部２の底部の開閉は、各モータＭのオン・オフ制御により行なうために、その制御も容易となる。また、収容部２ａ〜２ｇのそれぞれの底部を略同時に、または収容部２ａを最も遅れ気味にしたタイミングでそれらの底部を開くと、それら収容部２ａ〜２ｇ内に収容されていたメダルｍは、収容部２ａの下方へ続けざまに排出される。したがって、メダルｍの払い出し量を多くする場合であっても、その払い出しは迅速に行なわれることとなる。
【００３０】
各収容部２は、透明部材２２を用いて構成されていることから、各収容部２内に収容されているメダルｍは目視可能である。また、メダルｍが払い出されるときにメダルｍが各収容部２内を落下していく様子は特異であるが、この様子も目視することが可能である。このため、メダルｍの払い出しに際しては、従来の払い出し装置ではみることができない視覚的な面白さも得られることとなる。なお、メダルｍを所定量だけ払い出したときには、幾つかの収容部２が空になるが、この空になった収容部２内へのメダルｍの補充は、先に説明したメダルｍを払い出す前の準備段階の場合と同様な手順で、上層の収容部２内のメダルｍを順次下層の収容部２に移し替えていくことにより行なえばよい。
【００３１】
図６〜図９は、本願発明に係るメダル遊戯機の一例を示している。本実施形態のメダル遊戯機Ｂは、上述したメダル払い出し装置Ａを備えている。
【００３２】
図６に表われているように、このメダル遊戯機Ｂは、下部筐体１ａ上に透明のショーケース１ｂが設けられた構成を有している。下部筐体１ａおよびショーケース１ｂは、たとえば８〜１０人が同時にプレイできるように、それらの周方向において複数のゾーン１１に分けられている。各ゾーン１１において、左右２箇所にメダル投入口３９が設けられているとともに、下部筐体１ａには、メダル排出口１２が設けられている。
【００３３】
図７によく表われているように、ショーケース１ｂ内の各ゾーン１１には、プッシャゲーム機構３と複数のターゲット７とが配されたプレイフィールドが設けられている。このプレイフィールドの手前に、メダル投入口３９が設けられている。
【００３４】
メダル投入口３９には、メダルｍを立てて転がして初速を与えることができる筒状または溝状のガイド部材３８が付設されている。このガイド部材３８は、水平方向および上下方向に首振り調整自在であり、遊戯者はメダルｍを送出する方向を自由に選ぶことが可能である。
【００３５】
プッシャゲーム機構３は、固定状の第１テーブル３１と、この第１テーブル３１上に積層された第２テーブル３２とを有している。第２テーブル３２は、第１テーブル３１の側縁部３１ａよりも奥方において、手前方向への進出と、奥方向への後退とを繰り返すようになっている。このプッシャゲーム機構３においては、たとえば第１テーブル３１上にメダル払い出し装置Ａから多数枚のメダルｍが払い出されたり、あるいは第２テーブル３２が後退した際にこの第２テーブル３２とメダル群との間にメダルｍがうまく入り込むといったことがあると、第２テーブル３２の前進時においてメダルｍが第１テーブル３１の側縁部３１ａから落ちるようになっている。側縁部３１ａから落ちたメダルｍは、メダル排出口１２に導かれて遊戯者に獲得される。
【００３６】
ただし、本実施形態においては、第１テーブル３１の側縁部３１ａから落ちるメダルｍを受容する複数のバランスゲート４を備えた構成とされている。これら複数のバランスゲート４は、横方向に延びる軸４１を中心として揺動可能であり、図８に示すように、ウエイト４２が取り付けられた部分と、メダル受容口４３ａを有するメダル収容部４３とが軸４１を挟んだ配置となるように形成されたものである。このバランスゲート４は、通常時においては、同図に実線で示すように、ウエイト４２の重みによってメダル収容部４３が上昇した傾斜状態にあり、第１テーブル３１から落ちてくるメダルｍを受容可能となっている。これに対し、メダル収容部４３に一定量以上のメダルｍが溜まると、その重みにより、同図に仮想線で示すように、バランスゲート４はメダル収容部４３が下となるように回転する。すると、メダル収容部４３に溜められていたメダルｍは、まとめて下方に落下排出される。メダルｍの排出を終えると、このバランスゲート４はウエイト４２の重みにより元の姿勢に戻る。このようなバランスゲート４を設ければ、たとえばメダル収容部４３が満杯近くになったバランスゲート４に少数枚のメダルｍが入るだけでメダル収容部４３に溜められていた多数枚のメダルｍを遊戯者が獲得可能となる。したがって、少ないメダル投入数により、多くのメダルの払い出しを受けるチャンスが生まれ、メダル遊戯の興趣が高まる。
【００３７】
複数のターゲット７は、ブラケット７３に支持されてプッシャゲーム機構３の上方に配されている。各ターゲット７は中央貫通孔７１を有しており、遊戯者はこの中央貫通孔７１内にメダルｍが入るように、狙いを定めてメダル投入口３９にメダルｍを投入することとなる。各ターゲット７にはセンサが設けられており、ターゲット７にメダルｍが命中したとき、すなわち中央貫通孔７１内にメダルｍが入ったときには、これを上記センサにより検出することが可能となっている。上記センサによるメダルｍの検出信号は、メダル払い出し装置Ａからメダルｍを払い出したり、あるいは後述する抽選機構８を起動させるための信号として利用される。中央貫通孔７１内を通過したメダルｍは、プッシャゲーム機構３上に落下する。また、中央貫通孔７１内に入らなかったメダルｍも、プッシャゲーム機構３上に落下する場合がある。したがって、これらのメダルｍが第１テーブル３１上からメダルｍを落とすのに役立つ場合がある。このため、ターゲット７にメダルｍが命中する場合とそうでない場合とのいずれにおいても、遊戯者にメダル獲得の期待感を抱かせることができる。
【００３８】
ガイド部材３８とターゲット７との間には、助走面３７およびメダルジャンプ部材６が設けられている。助走面３７は、ガイド部材３８の先端から送出されたメダルｍをさらにプレイフィールドの奥方に向けて転がすための部位である。メダルジャンプ部材６は、たとえばその上向き面が凹状曲面に形成されており、一定周期で揺動している。メダルジャンプ部材６が、図８において実線で示すように助走面３７に接近したタイミングでメダルｍが送り込まれてくると、このメダルｍはうまくジャンプする。この場合は、ターゲット７にメダルｍが命中する可能性が高い。これに対し、メダルジャンプ部材６が、同図において仮想線で示すように助走面３７から離れたタイミングでメダルｍが送り込まれてくると、このメダルジャンプ部材６が壁となってメダルｍのそれ以上の前進が阻まれる。このような構成によれば、ターゲット７にメダルｍを命中させるには、メダルｍの送出方向に加え、その送出タイミングも適切にとる必要があり、高いスキルが遊戯者に必要とされる面白さが生まれる。適当な軸７２を中心として各ターゲット７を揺動させる構成にすれば、各ターゲット７にメダルｍを命中させることがさらに難しくなるが、このような構成にすることもできる。
【００３９】
メダル払い出し装置Ａは、ショーケース１ｂ内での２つのゾーン１１の隣接部に設置されている。図７に示すように、このメダル払い出し装置Ａの最下層の収容部２ａの下方には、メダル振り分け機構９７が設けられている。このメダル振り分け機構９７は、メダル払い出し装置Ａから払い出されるメダルｍを、隣接する２つのゾーン１１のいずれか選択された側の一方にガイドするための機構である。このメダル振り分け機構９７は、たとえば収容部２ａの下方に配されたプレートの傾きを変化させることによって、このプレート上をメダルｍがスライドするときのスライド方向を切り替え自在な構成となっている。本実施形態のように、１つのメダル払い出し装置Ａを２つのゾーン１１への払い出しに兼用すれば、メダル払い出し装置Ａの総数を少なくし、メダル遊戯機Ｂのコストを下げるのに好ましいものとなる。メダル払い出し装置Ａは、プッシャゲーム機構３の第１テーブル３１上に向けてメダルｍを払い出すのに用いられている。
【００４０】
本実施形態のメダル遊戯機Ｂは、ターゲット７にメダルｍが命中すると抽選動作を行なう抽選機構８と、この抽選機構８による抽選の結果により所定の演出効果を発揮する演出機構Ｃとをさらに備えている。
【００４１】
抽選機構８は、ボール移動による視覚的な面白さを楽しみながら抽選動作を行なうものであり、プッシャゲーム機構３のさらに奥方に設置されている。この抽選機構８においては、ターゲット７へのメダルｍの命中があると、サブ機枠８０の前面適所に開設されているボール排出孔８１からボールスイングテーブル８２上にボール９８が排出されるようになっている。図９に表われているように、ボール９８は、基本的には、ボールスイングテーブル８２上を複数のリブ８２ａに沿ってゆっくりと左右に振れながら、このボールスイングテーブル８２の手前に向けて移動するようになっている。ボールスイングテーブル８２の手前には、次経路への入口ポケット８５にボール９８を誘導可能なチャンスゲート部材８４が設けられており、ボール９８はこれに乗り移る。チャンスゲート部材８４は、その外面に複数のガイド溝８４ａが形成された略円錐台状であり、かつそれら複数のガイド溝８４ａの位置がゆっくりと変化するように回転している。ボール９８がチャンスゲート部材８４のいずれかのガイド溝８４ａにうまく乗ると、このボール９８は比較的高い確率で入口ポケット８５に到達する。入口ポケット８５に到達することなく、チャンスゲート部材８４から途中で落下したボール９８は、アウトとなる。
【００４２】
入口ポケット８５に到達したボール９８は、ボールガイドパイプ８７内を通過し、ボールスイングテーブル８２の下方のボール転動テーブル８６に導かれる。このボール転動テーブル８６は、ルーレットに似た形式をとったものであり、ボール９８は皿状のボール転動フィールド８６ａを螺旋状を描くように移動し、最終的にはその中央付近に設けられている複数の入賞穴８６ｂのいずれかに入るようになっている。複数の入賞穴８６ｂは、賞の大きさが異なったものとされている。入賞穴８６ｂにボール９８が入ると、その入賞穴８６ｂに付与された賞の大きさに応じた枚数のメダルｍがメダル払い出し装置Ａから払い出される。入賞穴８６ｂに入ったボール９８は、上記したチャンスゲート部材８４付近でのアウトボールとともに回収され、図示されていないボールエレベーション機構によってボール排出孔８１付近まで上昇させられてから待機させられる。
【００４３】
上記したように、抽選機構８においては、ボール９８が様々な経路を通りながら抽選が行なわれるが、遊戯者はこのような動作を見ることができる。また、ボール９８がチャンスゲート部材８４上を無事に通過した場合にのみ、最終的な抽選が実行されるようにしている。したがって、視覚的な面白さと、ゲームとしての面白さとがさらに倍加する。
【００４４】
演出機構Ｃは、図６に示されているように、ショーケース１ｂの中央部分に設けられており、たとえば映画に登場するキャラクタの一つであるエイリアンを模した動作模型１３を備えて構成されている。この動作模型１３は、スライドシャッタ１５を備えた回転筒１４の内部に隠されている。抽選機構８による抽選結果が最も大きな賞であると、回転筒１４はスライドシャッタ１５が正面となるように回転する。ショーケース１ｂ内の適当な位置にはＬＣＤ表示器１６が設けられており、このＬＣＤ表示器１６においては、３つのターゲット７のいずれかにメダルｍを命中させることを指示する旨の画像表示がなされる。このため、この画像表示を見た遊戯者は、メダル投入口３９にメダルｍを投入し、ターゲット７を狙う。ターゲット７にメダルｍが命中した回数に応じて、スライドシャッタ１５は、次第に下降してゆき、動作模型１３が現われてくる。タイムアップまで、そのようなモードが継続される。このように、ターゲット７にメダルｍが命中する都度、動作模型１３の全容が徐々に暴かれていけば、この動作模型１３の全容を見たい遊戯者にとって、そのゲームの面白さは一層高まることとなる。
【００４５】
動作模型１３の全容が暴かれる程度にターゲット７にメダルｍが一定回数以上命中したときには、たとえばメダル払い出し装置Ａの複数の収容部２に貯留されているメダルｍの全量が払い出される。既述したとおり、このメダルｍの全量の払い出しは一斉に行なうことができるために、迫力があり、各収容部２内を落下していくメダルｍの様子を目視することができるために、このメダルの払い出し動作自体も面白いものとなる。また、このメダル払い出し装置Ａが設けられていることにより、遊戯者は、最も大きな賞に入賞した場合にはこのメダル払い出し装置Ａに溜められている全てのメダルｍの排出を受けることができるとの期待感が生まれる。このようなこともまた、メダル遊戯の興趣を高める一要素となる。
【００４６】
本願発明の範囲は、上記した実施形態に限定されるものではない。本願発明に係るメダル払い出し装置およびメダル遊戯機の各部の具体的な構成は、種々に設計変更自在である。
【００４７】
本願発明に係るメダル払い出し装置において、各収容部の底部を開閉させるための機構は、スライド式のシャッタ板を用いた機構に限らない。たとえば、収容部の底部を塞ぐための部材がバタフライバルブのように回転し、この回転動作によって収容部の底部が開閉される構成とすることもできる。
【００４８】
本願発明に係るメダル遊戯機は、プッシャゲーム機構やボールを用いた抽選機構を備えたものに代えて、これとは異なる機構を備えたものとして構成することもできる。
【図面の簡単な説明】
【図１】本願発明に係るメダル払い出し装置の一例を示す斜視図である。
【図２】図１に示すメダル払い出し装置の断面図である。
【図３】図１に示すメダル払い出し装置に用いられているユニットの斜視図である。
【図４】図３に示すユニットの断面図である。
【図５】図１および図２に示すメダル払い出し装置の動作を示す断面図である。
【図６】本願発明に係るメダル遊戯機の一例を示す外観図である。
【図７】図６に示すメダル遊戯機の要部斜視図である。
【図８】図６に示すメダル遊戯機の要部断面図である。
【図９】図６に示すメダル遊戯機の要部斜視図である。
【図１０】従来技術の一例を示す説明図である。
【図１１】（ａ）〜（ｄ）は、従来技術の他の例を示す説明図である。
【符号の説明】
Ａ　メダル払い出し装置
Ｂ　メダル遊戯機
ｍ　メダル
２　収容部
２０　側壁部
２０ａ　上部開口部
２０ｂ　底部開口部
２１　シャッタ板
【図１】
2004113564.tif 000003
【図２】
2004113564.tif 000004
【図３】
2004113564.tif 000005
【図４】
2004113564.tif 000006
【図５】
2004113564.tif 000007
【図６】
2004113564.tif 000008
【図７】
2004113564.tif 000009
【図８】
2004113564.tif 000010
【図９】
2004113564.tif 000011
【図１０】
2004113564.tif 000012
【図１１】
2004113564.tif 000013